(57)【要約】【課題】墨出し器を回転台に容易に設置することができ、回転作業中に墨出し器のガタツキや落下を防ぎ、墨出し器の中心を回転台の中心に配置することができるとともに、多種多様の脚寸法を有する墨出し器であっても、これを回転台に設置することができるレーザ照射システムを提供すること。【解決手段】半導体レーザユニットとレンズを内蔵して垂直レーザ光や水平レーザ光を照射可能で、且つ、下部に３本の脚部（脚本体９）を備えて成る墨出し器１と、該墨出し器１を回転駆動する回転台１２を備えるレーザ照射システム３０において、前記回転台１２の回転テーブル（上部回転部）３の上面中心付近から外周方向に向かう放射状の３本の凹溝１８を等間隔（角度１２０°）に設け、該凹溝１８部に前記墨出し器１の脚本体９を係合させて該墨出し器１を前記回転台１２上に載置する。【選択図】図１
2006184171.tif 000002
【特許請求の範囲】
【請求項１】
半導体レーザユニットとレンズを内蔵して垂直レーザ光や水平レーザ光を照射可能で、且つ、下部に３本の脚部を備えて成る墨出し器と、該墨出し器を回転駆動する回転台を備えるレーザ照射システムにおいて、
前記回転台の上部回転部の上面中心付近から外周方向に向かう放射状の３本の凹溝を等間隔（角度１２０°）に設け、該凹溝部に前記墨出し器の脚部を係合させて該墨出し器を前記回転台上に載置したことを特徴とするレーザ照射システム。
【発明の詳細な説明】
【技術分野】
【０００１】
本発明は、墨出し器を搭載し、該墨出し器を回転させて使用する回転台を備えたレーザ照射システムに関する。
【背景技術】
【０００２】
高機能品は４個の半導体レーザユニットとレンズを使用し、３６０°全周に亘ってレーザ光を照射することによって水平ラインを照射する墨出し器が知られており、この墨出し器を作業空間のほぼ中央に設置すれば、レーザ光を使用して投影位置付近で３６０°全体の作業を行うことができる。
【０００３】
しかし、墨出し器として普及しているもは安価品であるため、水平ラインの半導体レーザユニットとレンズを各１個使用してレーザ光を照射させるよう構成されているが、照射する角度は１２０°程度である。よって、水平レベル出し作業の中で３６０°を必要とする場合は、墨出し器本体を回転させながら作業を行っている。この場合、墨出し器とレーザ光を照射する位置出し付近間を作業者が何回か往復しなければならない。
【０００４】
又、墨出し器には、ヘッド部が手動で回転可能と不可能のものがあり、回転しないものは、再度設置し直さなければならず、その都度、レベルの基準確認をして作業を行わなければならないために面倒であった。この場合、墨出し器を搭載して使用する水平ライン回転台があり（特許文献１参照）、この水平ライン回転台は、上部のテーブルをモータの動力等で無線又は有線で遠隔操作ができるスイッチを設け、モータの起動停止によって回転させるものであり、墨出し器を水平ライン回転台に連結することにより、高機能品３６０°照射墨出し器と同様の作業ができる。
【０００５】
次に、垂直ラインを照射する墨出し器において、床等に墨出しした墨（基準線）に正確に合わせる作業がある。この場合、高機能品は墨出し器本体に回転微調整機構を設けて正確に合わせることができるが、普及品は回転微調整機構がなく、作業者が墨出し器本体自体を回転させてラインに合わせる必要があるため、その作業が面倒であった。この場合は墨出し器を搭載して使用する縦ライン微調整回転台があり、墨出し器と連結することにより微調整機構を利用して基準線に正確に合わせることができる。
【０００６】
このように墨出し器を搭載して回転させ使用する回転台においては、墨出し器を連結する手段としては、先ず、墨出し器下部に配置している三脚固定のメネジ穴を利用し、回転台上面中心付近に設けられたオネジにメネジ穴をねじ込んで墨出し器を連結するものがある。又、墨出し器本体に水準調整用の脚があるものは、連結せずそのまま載せる。
【０００７】
水準調整用の脚は通常３本で等間隔（１２０°）に設けている。又は、高さ調整のアダプタを取り付けてネジ固定する。或は、水準調整用の脚のピッチに合わせて凹穴を設け、脚を穴に入れて固定している。
【０００８】
【特許文献１】特開２０００−３０８９８２号公報
【特許文献２】特開２００２−２１３９５６号公報
【発明の開示】
【発明が解決しようとする課題】
【０００９】
従来の技術において、墨出し器をねじ込みで連結する場合は、該墨出し器を回転させて固定するために時間を要し、面倒な作業であった。又、墨出し器を単に載せて使用する場合は、その位置が安定してないため、回転台を回転させたときや外部から何かに接触したときに墨出し器が動き出したり、転倒するという問題が発生する。更に、水準調整用の脚のピッチに合わせて凹穴を設け、その凹穴に脚を入れて固定する場合は、専用の墨出し器のみ連結可能となり、多種多様の脚ピッチに対応できない問題がある。
【００１０】
本発明は上記問題に鑑みてなされたもので、その目的とする処は、墨出し器を回転台に容易に設置することができ、回転作業中に墨出し器のガタツキや落下を防ぎ、墨出し器の中心を回転台の中心に配置することができるとともに、多種多様の脚寸法を有する墨出し器であっても、これを回転台に設置することができるレーザ照射システムを提供することにある。
【課題を解決するための手段】
【００１１】
上記目的を達成するため、本発明は、半導体レーザユニットとレンズを内蔵して垂直レーザ光や水平レーザ光を照射可能で、且つ、下部に３本の脚部を備えて成る墨出し器と、該墨出し器を回転駆動する回転台を備えるレーザ照射システムにおいて、前記回転台の上部回転部の上面中心付近から外周方向に向かう放射状の３本の凹溝を等間隔（角度１２０°）に設け、該凹溝部に前記墨出し器の脚部を係合させて該墨出し器を前記回転台上に載置したことを特徴とする。
【発明の効果】
【００１２】
本発明によれば、墨出し器を搭載する回転台の上部回転部の上面中心付近から外周方向に向かう放射状の３本の凹溝をそれぞれ等間隔（角度１２０°）に設けたため、墨出し器の３本の脚を回転台の凹溝に係合させて搭載することができ、該墨出し器を容易に回転台に設置することができ、回転作業中に墨出し器のガタツキや落下を防ぎ、墨出し器の中心を回転台の中心に配置することができるとともに、多種多様の脚寸法を有する墨出し器であっても、これを回転台に設置することができる。
【発明を実施するための最良の形態】
【００１３】
＜実施の形態１＞
本発明の実施形態１に係るレーザ照射システムを図１〜図７に基づいて説明する。
【００１４】
図１はレーザ照射システムの全体構成を示す正断面図、図２は同レーザ照射システムの平面図、図３は墨出し器の正面図、図４は同墨出し器の底面図、図５は回転台の正断面図、図６は同回転台の平面図、図７は同回転台の側面図である。
【００１５】
図１に示すレーザ照射システム３０は、墨出し器１と、回転台１２の固定ベース２と、墨出し器１を載置する回転テーブル３と、回転駆動部４とを有している。
【００１６】
上記墨出し器１は、不図示の半導体レーザユニットと不図示のレンズを内蔵し、３本の脚部５を有している。又、この墨出し器１の上部及び中央部には、それぞれ垂直ラインを所定角度範囲で照射するための垂直照射口６と、水平ラインを所定角度範囲で照射するための水平照射口７が形成されている。ここで、水平ライン照射口６からは約１２０°の角度範囲に亘って不図示の水平光が照射可能であり、垂直ライン照射口７からは約１７０°の角度範囲に亘って不図示の垂直光が照射可能である。
【００１７】
前記脚部５は、墨出し器１の下部から水平方向に突出して設けられた腕部８と、該腕部８から鉛直下方に突出する３本の脚本体９とを有している。脚本体９は、墨出し器１の中心を支点１０とした任意の円周１１上の適所に３本等間隔（角度１２０°間隔）に設けられ、その形状は下方先端にかけて断面の直径を小さくした円錐形状とされて地面との設置面積が小さくなっている。
【００１８】
又、前記回転台１２においては、円板状の固定ベース２の外周が上方に折り曲げられ、該固定ベース２の中心に垂直な軸１３が固着され、該軸１３には回転駆動部４の最終歯車１５が回動自在に嵌着され、該最終歯車１５には前記回転テーブル３が固定されている。ここで、回転テーブル３の外周は下方に折り曲げられ、その折り曲げられた外周部が固定ベース２の外周部に嵌合されている。
【００１９】
上記回転駆動部４は、固定ベース２の内側スペースの適所に不図示の乾電池等の電源とモータ１６を配設し、複数の歯車１７で適度な回転速度に減速し、最終歯車１５に動力を伝達する。不図示のスイッチをＯＮすれば、回転駆動部４のモータ１６が駆動され、その回転は、歯車１７と最終歯車１５で減速されて回転テーブル３に伝達され、該回転テーブル３が回転する。
【００２０】
回転テーブル３の上面には中心付近から外周方向に向かって放射状に３本の凹溝１８が等間隔（角度１２０°間隔）に設けられており、墨出し器１の３本の脚本体９を回転テーブル３の前記凹溝１８に係合させ、墨出し器１を回転台１２に搭載する。従って、前述のように回転テーブル３を回転させると、墨出し器１を一体的に回転させることができる。
【００２１】
而して、本実施の形態に係るレーザ照射システム３０においては、墨出し器１を回転台１２に載せただけで設置可能となり、該墨出し器１の脚本体９の円周１１の径が違う場合でも墨出し器を回転第１２上に設置することができる。又、墨出し器１の３本の脚本体９と回転台１２の３本の凹溝１８が円周１１上に等間隔（角度１２０°間隔）に配置されるため、墨出し器１と回転台１２の中心が一致し、回転台１２で墨出し器１を回転させた場合でも墨出し器１の中心位置が変わらない。
【００２２】
＜実施の形態２＞
次に、本発明の実施の形態２を図８〜図１３に基づいて説明する。
【００２３】
図８は実施の形態２に係るレーザ照射システムの全体構成を示す正断面図、図９は同レーザ照射システムの平面図、図１０は回転台の正断面図、図１１は同回転台の平面図、図１２は同回転台の側面図、図１３は図１０のＩ−Ｉ線断面図であり、これらの図においては図１〜図７に示したものと同一要素には同一符号を付しており、以下、それらについての説明は省略する。
【００２４】
本実施の形態に係るレーザ照射システム３０の墨出し器１は前記実施の形態１のものと同形態である。固定ベース１９は、回転テーブル２０を回転可能に支持するために設けられており、円筒部２１の上部には、後述する回転テーブル２０の下方環状凸部２２の外周面が嵌合する小径穴部２１ａが形成されている。又、固定ベース１９には、後述する微小回転調整機構２３の一部を構成するピン２９が立設されている。
【００２５】
回転テーブル２０は、微小回転調整機構２３の外枠部２４と、下方環状凸部２２とから成る一体成形品であって、これを固定ベース１９上に載置したとき、下方環状凸部２２の外周面は、固定ベース１９の小径穴部２１ａに回転可能に嵌合し、墨出し器１と回転テーブル２０及び固定ベース１９が軸心２５ａを中心に同軸的に配置可能となる。又、下方環状凸部２２の下端面には、プレート２６ａがネジによって取り付けられている。ここで、プレート２６ａの外縁は固定ベース１９に重なっているため、回転テーブル２０は、固定ベース１９に離脱不能に取り付けられており、これらの固定ベース１９と回転テーブル２０とによって回転台２６が構成されている。  
微小回転調整部２３は、前記ピン２９と、該ピン２９に係合して外枠部２４に支持された調節ネジ２７と、該調節ネジ２７の一端に固定されたノブ２８とを有している。図１３に示すように、調節ネジ２７は、外枠部２４の雌ネジ２４ａに螺合する大径雄ネジ部２７Ａと、中間小径部２７Ｂとフランジ部２７Ｃと外枠部２４に形成された貫通穴２４ｂに対して摺動するスライド軸部２７Ｄとを有している。ここで、中間小径部２７Ｂの軸方向長さは、ピン２９の先端部の直径と略同一であり、大径雄ネジ部２７Ａの先端面とフランジ部２７Ｃとの間にピン２９の先端が係合される。
【００２６】
而して、ノブ２８を回転操作すると、調節ネジ２７が軸方向に移動しようとする。しかし、ピン２９は固定ベース１９に固定されているため、調節ネジ２７の移動が妨げられ、相対的に回転テーブル２０の外枠部２４が調節ネジ２７に対して移動し、結果的に回転テーブル２０が軸心２５ａを中心に微小回転し、この回転によって、回転テーブル２０上に載置された墨出し器１が一体的に微小回転し、レーザ光の水平方向に関する照射角度が調整可能となる。
【００２７】
ところで、回転テーブル２０の上面には実施の形態１と同様に中心付近から外周方向に向かう放射状の３本の凹溝１８が等間隔（角度１２０°間隔）に設けられている。墨出し器１の３本の脚本体９を回転テーブル２０の凹溝１８に係合せしめ、墨出し器１を回転台２６に搭載する。従って、前述のように回転テーブル２０を微小回転させることによって、墨出し器１を回転させて微調整することができる。
【００２８】
而して、本実施の形態においても、前記実施の形態１と同様に、墨出し器１を回転台２６に載せるだけで設置可能となり、墨出し器１の脚本体９の円周１１の径が違う場合でも墨出し器１を回転台２６上に設置することができる。又、墨出し器１の３本の脚本体９と回転台２６の３本の凹溝１８が円周１１上に等間隔（角度１２０°間隔）に配置されるため、墨出し器１と回転台２６の中心が一致し、回転台２６で墨出し器１を回転させた場合でも墨出し器１の中心位置が変わらない。
【図面の簡単な説明】
【００２９】
【図１】本発明の実施の形態１に係るレーザ照射システムの全体構成を示す正断面図である。
【図２】本発明の実施の形態１に係るレーザ照射システムの平面図である。
【図３】本発明の実施の形態１に係るレーザ照射システムの墨出し器の正面図である。
【図４】本発明の実施の形態１に係るレーザ照射システムの墨出し器の底面図である。
【図５】本発明の実施の形態１に係るレーザ照射システムの回転台の正断面図である。
【図６】本発明の実施の形態１に係るレーザ照射システムの回転台の平面図である。
【図７】本発明の実施の形態１に係るレーザ照射システムの回転台の側面図である。
【図８】本発明の実施の形態２に係るレーザ照射システムの全体構成を示す正断面図である。
【図９】本発明の実施の形態２に係るレーザ照射システムの平面図である。
【図１０】本発明の実施の形態２に係るレーザ照射システムの回転台の正断面図である。
【図１１】本発明の実施の形態２に係るレーザ照射システムの回転台の平面図である。
【図１２】本発明の実施の形態２に係るレーザ照射システムの回転台の側面図である。
【図１３】図１０のＩ−Ｉ線断面図である。
【符号の説明】
【００３０】
１    墨出し器
２    固定ベース
３    回転テーブル
４    回転駆動部
５    脚部
６    垂直照射口
７    水平照射口
８    腕部
９    脚本体
１０  支点
１１  円周
１２  回転台
１３  軸
１５  最終歯車
１６  モータ
１７  歯車
１８  凹溝
１９  固定ベース
２０  回転テーブル
２３  微小回転調整機構
２４  外枠部
２９  ピン
３０  レーザ照射システム
【図１】
2006184171.tif 000003
【図２】
2006184171.tif 000004
【図３】
2006184171.tif 000005
【図４】
2006184171.tif 000006
【図５】
2006184171.tif 000007
【図６】
2006184171.tif 000008
【図７】
2006184171.tif 000009
【図８】
2006184171.tif 000010
【図９】
2006184171.tif 000011
【図１０】
2006184171.tif 000012
【図１１】
2006184171.tif 000013
【図１２】
2006184171.tif 000014
【図１３】
2006184171.tif 000015